(57)【要約】【課題】情報提供を求めるクライアントに有意な情報を収集可能な情報収集システムを提供する。【解決手段】情報提供に参加するユーザが携帯端末２からサーバ１にユーザ情報を登録した後、サーバ１が、クライアントの携帯端末３から情報提供を要求する情報種別を受け付けた際に、前記ユーザ情報を基に要求された情報種別に該当する情報の提供が可能なユーザを検索して、該ユーザの携帯端末２に情報提供を要求する。携帯端末２は、携帯端末２の機能により、要求に該当する情報を自動的に検知して、収集情報としてサーバに対して返送する。サーバ１は、各携帯端末２からの該収集情報を、登録するとともに、要求元の携帯端末３に送信する。携帯端末３は、対価となる情報料と該収集情報のランク付けした評価結果とをサーバ１に返送する。サーバ１は、該ランク付けした評価結果を基にインセンテイブとなる対価を算出し、送信元のユーザの携帯端末２に送付する。【選択図】図１
2008242553.tif 000002
【特許請求の範囲】
【請求項１】
情報の提供を要求するクライアントが所持するクライアント用携帯端末と、該クライアントが要求する情報の提供に参加するユーザが所持するユーザ用携帯端末と、前記クライアント用携帯端末、前記ユーザ用携帯端末との間で情報を送受信するサーバとを、ネットワークを介して接続して構成される情報収集システムにおいて、前記ユーザ用携帯端末から前記サーバに対して、情報提供に参加する情報種別を含むユーザ情報を登録することにより、前記サーバ装置が、前記クライアント用携帯端末から情報提供を要求する情報種別の登録がなされた際に、登録された前記ユーザ情報を参照して、前記クライアント用携帯端末から要求された情報提供の情報種別に該当する情報の提供に参加するユーザを検索して、該当するユーザが所持するユーザ用携帯端末に対して、情報提供の要求を送信することを特徴とする情報収集システム。
【請求項２】
前記サーバから情報提供の要求を受け取った前記ユーザ用携帯端末は、当該ユーザ用携帯端末に備えられている機能を用いて、要求に該当する情報を自動的に検知して、収集情報として、前記サーバに対して返送することを特徴とする請求項１に記載の情報収集システム。
【請求項３】
前記ユーザ用携帯端末は、前記収集情報を前記サーバに返送するタイミングとして、前記サーバから情報提供の要求を受け取った時点で即時に、あるいは、あらかじめ設定されている周期で定期的に、あるいは、前記サーバから指定されているタイミング、のいずれか１ないし複数とすることを特徴とする請求項２に記載の情報収集システム。
【請求項４】
前記ユーザ用携帯端末からの前記収集情報を受け取った前記サーバは、該収集情報を、ユーザ送付情報として、登録するとともに、情報収集の要求元の前記クライアント用携帯端末に送信することを特徴とする請求項２または３に記載の情報収集システム。
【請求項５】
前記サーバは、前記ユーザ送付情報を前記クライアント用携帯端末に送信した際に、当該クライアント用携帯端末から、送信した前記ユーザ送付情報に対する対価となる情報料を受け取ることを特徴とする請求項４に記載の情報収集システム。
【請求項６】
前記サーバから前記ユーザ送付情報を受け取った前記クライアント用携帯端末のクライアントが当該ユーザ送付情報を評価した評価結果に基づいてランク付けした情報および／またはコメント情報を、当該クライアント用携帯端末から前記サーバに返送することを特徴とする請求項５に記載の情報収集システム。
【請求項７】
前記クライアント用携帯端末から前記ユーザ送付情報に対してランク付けした情報および／またはコメント情報を受け取った前記サーバは、受け取った前記ランク付けした情報および／またはコメント情報を当該ユーザ送付情報に関連付けて登録するとともに、当該ユーザ送付情報の送信元のユーザに対するインセンテイブとなる対価を算出して、送信元のユーザの前記ユーザ用携帯端末に送信することを特徴とする請求項６に記載の情報収集システム。
【請求項８】
前記サーバは、登録されている前記ユーザ送付情報および当該ユーザ送付情報に関連付けられたランク付けした情報および／またはコメント情報を、一般のユーザ向けに公開することを特徴とする請求項７に記載の情報収集システム。
【請求項９】
前記サーバは、前記ユーザ送付情報を閲覧した一般のユーザの携帯端末からのコメント情報や評価情報を受け取った際に、該コメント情報や評価情報を当該ユーザ送付情報に関連付けて登録するとともに、登録した前記コメント情報や評価情報を一般のユーザ向けに公開することを特徴とする請求項８に記載の情報収集システム。
【請求項１０】
前記クライアント用携帯端末が、前記サーバに情報提供を要求する情報種別を登録する際に、情報提供を有効とする有効期間を少なくとも指定することを特徴とする請求項１ないし９のいずれかに記載の情報収集システム。
【請求項１１】
前記サーバが、要求された情報提供の情報種別に該当する情報の提供に参加するユーザの前記ユーザ用携帯端末に対して、情報の提供を要求する際に、情報提供を有効とする前記有効期間を合わせて送信し、前記ユーザ用携帯端末は、前記有効期間の間だけ、要求に該当する情報を自動的に検知して、収集情報として、前記サーバに返送することを特徴とする請求項１０に記載の情報収集システム。
【請求項１２】
前記クライアント用携帯端末が、前記サーバに情報提供を要求する情報種別を登録する際に、情報を収集すべきエリアを特定するリクエストエリアを少なくとも指定することを特徴とする請求項１ないし１１のいずれかに記載の情報収集システム。
【請求項１３】
前記サーバが、要求された情報提供の情報種別に該当する情報の提供に参加するユーザの前記ユーザ用携帯端末に対して、情報の提供を要求する際に、情報を収集すべき前記リクエストエリアを合わせて送信し、前記ユーザ用携帯端末は、前記リクエストエリアを在圏している場合に、要求に該当する情報を自動的に検知して、収集情報として、前記サーバに返送することを特徴とする請求項１２に記載の情報収集システム。
【請求項１４】
前記クライアント用携帯端末が、前記サーバに情報提供を要求する情報種別を登録する際に、収集すべき情報種別の詳細を、前記サーバに通知するための詳細情報取得先に関する情報を付加して登録することを特徴とする請求項１ないし１３のいずれかに記載の情報収集システム。
【請求項１５】
前記サーバが、要求された情報提供の情報種別に該当する情報の提供に参加するユーザの前記ユーザ用携帯端末から、収集すべき情報種別の詳細に関する問い合わせを受け取った際に、前記詳細情報取得先に対して、収集すべき情報種別に関する詳細情報を問い合わせることにより、詳細な情報種別を取得して、問い合わせ元の前記ユーザ用携帯端末に返送し、前記ユーザ用携帯端末は、返送されてきた詳細な情報種別に合致する情報を自動的に検知して、収集情報として、前記サーバに返送することを特徴とする請求項１４に記載の情報収集システム。
【請求項１６】
前記クライアント用携帯端末が前記サーバに情報提供を要求する情報種別として、前記ユーザ用携帯端末の現在位置における電界強度、角速度情報、加速度情報、方位情報のうちいずれか１ないし複数を含むことを特徴とする請求項１ないし１５のいずれかに記載の情報収集システム。
【請求項１７】
前記クライアント用携帯端末が前記サーバに情報提供を要求する情報種別として、前記ユーザ用携帯端末の現在位置におけるＦｅｌｉＣａチップ読み取り情報、ＲＦＩＣチップ読み取り情報、２次元コード読み取り情報のうちいずれか１ないし複数を含むことを特徴とする請求項１ないし１６のいずれかに記載の情報収集システム。
【請求項１８】
前記クライアント用携帯端末が前記サーバに情報提供を要求する情報種別として、前記ユーザ用携帯端末の現在位置における気温情報、気圧情報、照度情報のうちいずれか１ないし複数を含むことを特徴とする請求項１ないし１７のいずれかに記載の情報収集システム。
【請求項１９】
前記クライアント用携帯端末が前記サーバに情報提供を要求する情報種別として、前記ユーザ用携帯端末のユーザの現在の脈拍数情報、筋電情報、発汗情報のうちいずれか１ないし複数を含むことを特徴とする請求項１ないし１８のいずれかに記載の情報収集システム。
【請求項２０】
前記クライアント用携帯端末が、前記サーバに情報提供を要求する情報種別として、前記ユーザ用携帯端末により撮影された静止画、動画、前記ユーザ用携帯端末のユーザが作成した調査レポートのうちいずれか１ないし複数を含むことを特徴とする請求項１ないし１９のいずれかに記載の情報収集システム。
【請求項２１】
情報の提供を要求するクライアントが所持するクライアント用携帯端末と、該クライアントが要求する情報の提供に参加するユーザが所持するユーザ用携帯端末と、前記クライアント用携帯端末、前記ユーザ用携帯端末との間で情報を送受信するサーバとを、ネットワークを介して接続して構成される情報収集システムにおける情報収集方法であって、前記ユーザ用携帯端末から前記サーバに対して、情報提供に参加する情報種別を含むユーザ情報を登録することにより、前記サーバ装置が、前記クライアント用携帯端末から情報提供を要求する情報種別の登録がなされた際に、登録された前記ユーザ情報を参照して、前記クライアント用携帯端末から要求された情報提供の情報種別に該当する情報の提供に参加するユーザを検索して、該当するユーザが所持するユーザ用携帯端末に対して、情報提供の要求を送信することを特徴とする情報収集方法。
【請求項２２】
前記サーバから情報提供の要求を受け取った前記ユーザ用携帯端末は、当該ユーザ用携帯端末に備えられている機能を用いて、要求に該当する情報を自動的に検知して、収集情報として、前記サーバに対して返送することを特徴とする請求項２１に記載の情報収集方法。
【請求項２３】
前記ユーザ用携帯端末は、前記収集情報を前記サーバに返送するタイミングとして、前記サーバから情報提供の要求を受け取った時点で即時に、あるいは、あらかじめ設定されている周期で定期的に、あるいは、前記サーバから指定されているタイミング、のいずれか１ないし複数とすることを特徴とする請求項２２に記載の情報収集方法。
【請求項２４】
前記ユーザ用携帯端末からの前記収集情報を受け取った前記サーバは、該収集情報を、ユーザ送付情報として、登録するとともに、情報収集の要求元の前記クライアント用携帯端末に送信することを特徴とする請求項２２または２３に記載の情報収集方法。
【請求項２５】
前記サーバは、前記ユーザ送付情報を前記クライアント用携帯端末に送信した際に、当該クライアント用携帯端末から、送信した前記ユーザ送付情報に対する対価となる情報料を受け取ることを特徴とする請求項２４に記載の情報収集方法。
【請求項２６】
前記サーバから前記ユーザ送付情報を受け取った前記クライアント用携帯端末のクライアントが当該ユーザ送付情報を評価した評価結果に基づいてランク付けした情報および／またはコメント情報を、当該クライアント用携帯端末から前記サーバに返送することを特徴とする請求項２５に記載の情報収集方法。
【請求項２７】
前記クライアント用携帯端末から前記ユーザ送付情報に対してランク付けした情報および／またはコメント情報を受け取った前記サーバは、受け取った前記ランク付けした情報および／またはコメント情報を当該ユーザ送付情報に関連付けて登録するとともに、当該ユーザ送付情報の送信元のユーザに対するインセンティブとなる対価を算出して、送信元のユーザの前記ユーザ用携帯端末に送信することを特徴とする請求項２６に記載の情報収集方法。
【請求項２８】
前記サーバは、登録されている前記ユーザ送付情報および当該ユーザ送付情報に関連付けられたランク付けした情報および／またはコメント情報を、一般のユーザ向けに公開することを特徴とする請求項２７に記載の情報収集方法。
【請求項２９】
前記サーバは、前記ユーザ送付情報を閲覧した一般のユーザの携帯端末からのコメント情報や評価情報を受け取った際に、該コメント情報や評価情報を当該ユーザ送付情報に関連付けて登録するとともに、登録した前記コメント情報や評価情報を一般のユーザ向けに公開することを特徴とする請求項２８に記載の情報収集方法。
【請求項３０】
請求項２１ないし２９のいずれかに記載の情報収集方法を、コンピュータにより実行可能なプログラムとして実施することを特徴とする情報収集プログラム。
【請求項３１】
請求項３０に記載の情報収集プログラムを、コンピュータにより読み取り可能な記録媒体に記録していることを特徴とするプログラム記録媒体。
【発明の詳細な説明】
【技術分野】
【０００１】
本発明は、情報収集システム、情報収集方法、情報収集プログラムおよびプログラム記録媒体に関し、特に、携帯端末を利用した情報収集システム、情報収集方法、情報収集プログラムおよびプログラム記録媒体に関する。
【背景技術】
【０００２】
近年、携帯電話システムが普及し、至る所で多くのユーザに便利に使用されている。この携帯電話システムは、近年の高機能化に伴って、通話やメールといったコミュニケーション以外に、ブラウザ等の機能によって、情報を入手するツールとしても活用されている。
【０００３】
しかし、現在の携帯電話システムは、ユーザに対して情報を提供する機能しか持たず、ブログやＳＮＳ（Social Networking Service）といった一部のＷｅｂサイトを除いて情報の流れは一方通行である。また、ブログやＳＮＳで発信される情報は、主に、ユーザ個人の感想やコメントが主体であり、情報提供を要求するクライアントが要求する情報とは異なっている場合も多く、信頼性や著作権等の権利保護に関する問題もあるため、商業的に利用できるものではない。
【０００４】
ここで、ユーザ（情報提供者）が携帯端末で撮影した静止画や動画を、特に、報道用の静止画や動画として、例えば、災害現場を撮影した静止画や動画を販売する仕組みが提案されている(特許文献１参照)。
【特許文献１】特開２００２−１６９８７８号公報（第３−６頁）
【発明の開示】
【発明が解決しようとする課題】
【０００５】
しかし、前記特許文献１の仕組みでは、ユーザ（情報提供者）による情報の販売手段を提供するのみであり、情報の提供を求めるクライアント（顧客）側は、必要とする画像の希望を提示する以外に、提供してもらう情報をコントロールする手段が無い。また、提供された画像の正当性を保証する手段が無く、クライアント自身が検証する必要がある。
【０００６】
本発明は、かかる問題を解決するためになされたものであり、一般のユーザが所持する携帯端末の情報収集機能を利用して、情報提供を求めるクライアントが有意な情報を収集することが可能な情報収集システム、情報収集方法、情報収集プログラムおよびプログラム記録媒体を提供することを、その目的とする。
【課題を解決するための手段】
【０００７】
前述の課題を解決するため、本発明による情報収集システム、情報収集方法、情報収集プログラムおよびプログラム記録媒体は、次のような特徴的な構成を採用している。
【０００８】
（１）情報の提供を要求するクライアントが所持するクライアント用携帯端末と、該クライアントが要求する情報の提供に参加するユーザが所持するユーザ用携帯端末と、前記クライアント用携帯端末、前記ユーザ用携帯端末との間で情報を送受信するサーバとを、ネットワークを介して接続して構成される情報収集システムにおいて、前記ユーザ用携帯端末から前記サーバに対して、情報提供に参加する情報種別を含むユーザ情報を登録することにより、前記サーバ装置が、前記クライアント用携帯端末から情報提供を要求する情報種別の登録がなされた際に、登録された前記ユーザ情報を参照して、前記クライアント用携帯端末から要求された情報提供の情報種別に該当する情報の提供に参加するユーザを検索して、該当するユーザが所持するユーザ用携帯端末に対して、情報提供の要求を送信する情報収集システム。
（２）前記サーバから情報提供の要求を受け取った前記ユーザ用携帯端末は、当該ユーザ用携帯端末に備えられている機能を用いて、要求に該当する情報を自動的に検知して、収集情報として、前記サーバに対して返送する上記（１）の情報収集システム。
（３）前記ユーザ用携帯端末は、前記収集情報を前記サーバに返送するタイミングとして、前記サーバから情報提供の要求を受け取った時点で即時に、あるいは、あらかじめ設定されている周期で定期的に、あるいは、前記サーバから指定されているタイミング、のいずれか１ないし複数とする上記（２）の情報収集システム。
（４）前記ユーザ用携帯端末からの前記収集情報を受け取った前記サーバは、該収集情報を、ユーザ送付情報として、登録するとともに、情報収集の要求元の前記クライアント用携帯端末に送信する上記（２）または（３）の情報収集システム。
（５）前記サーバは、前記ユーザ送付情報を前記クライアント用携帯端末に送信した際に、当該クライアント用携帯端末から、送信した前記ユーザ送付情報に対する対価となる情報料を受け取る上記（４）の情報収集システム。
（６）前記サーバから前記ユーザ送付情報を受け取った前記クライアント用携帯端末のクライアントが当該ユーザ送付情報を評価した評価結果に基づいてランク付けした情報および／またはコメント情報を、当該クライアント用携帯端末から前記サーバに返送する上記（５）の情報収集システム。
（７）前記クライアント用携帯端末から前記ユーザ送付情報に対してランク付けした情報および／またはコメント情報を受け取った前記サーバは、受け取った前記ランク付けした情報および／またはコメント情報を当該ユーザ送付情報に関連付けて登録するとともに、当該ユーザ送付情報の送信元のユーザに対するインセンテイブとなる対価を算出して、送信元のユーザの前記ユーザ用携帯端末に送信する上記（６）の情報収集システム。
（８）前記サーバは、登録されている前記ユーザ送付情報および当該ユーザ送付情報に関連付けられたランク付けした情報および／またはコメント情報を、一般のユーザ向けに公開する上記（７）の情報収集システム。
（９）前記サーバは、前記ユーザ送付情報を閲覧した一般のユーザの携帯端末からのコメント情報や評価情報を受け取った際に、該コメント情報や評価情報を当該ユーザ送付情報に関連付けて登録するとともに、登録した前記コメント情報や評価情報を一般のユーザ向けに公開する上記（８）の情報収集システム。
（１０）前記クライアント用携帯端末が、前記サーバに情報提供を要求する情報種別を登録する際に、情報提供を有効とする有効期間を少なくとも指定する上記（１）ないし（９）のいずれかの情報収集システム。
（１１）前記サーバが、要求された情報提供の情報種別に該当する情報の提供に参加するユーザの前記ユーザ用携帯端末に対して、情報の提供を要求する際に、情報提供を有効とする前記有効期間を合わせて送信し、前記ユーザ用携帯端末は、前記有効期間の間だけ、要求に該当する情報を自動的に検知して、収集情報として、前記サーバに返送する上記（１０）の情報収集システム。
（１２）前記クライアント用携帯端末が、前記サーバに情報提供を要求する情報種別を登録する際に、情報を収集すべきエリアを特定するリクエストエリアを少なくとも指定する上記（１）ないし（１１）のいずれかの情報収集システム。
（１３）前記サーバが、要求された情報提供の情報種別に該当する情報の提供に参加するユーザの前記ユーザ用携帯端末に対して、情報の提供を要求する際に、情報を収集すべき前記リクエストエリアを合わせて送信し、前記ユーザ用携帯端末は、前記リクエストエリアを在圏している場合に、要求に該当する情報を自動的に検知して、収集情報として、前記サーバに返送する上記（１２）の情報収集システム。
（１４）前記クライアント用携帯端末が、前記サーバに情報提供を要求する情報種別を登録する際に、収集すべき情報種別の詳細を、前記サーバに通知するための詳細情報取得先に関する情報を付加して登録する上記（１）ないし（１３）のいずれかの情報収集システム。
（１５）前記サーバが、要求された情報提供の情報種別に該当する情報の提供に参加するユーザの前記ユーザ用携帯端末から、収集すべき情報種別の詳細に関する問い合わせを受け取った際に、前記詳細情報取得先に対して、収集すべき情報種別に関する詳細情報を問い合わせることにより、詳細な情報種別を取得して、問い合わせ元の前記ユーザ用携帯端末に返送し、前記ユーザ用携帯端末は、返送されてきた詳細な情報種別に合致する情報を自動的に検知して、収集情報として、前記サーバに返送する上記（１４）の情報収集システム。
（１６）前記クライアント用携帯端末が前記サーバに情報提供を要求する情報種別として、前記ユーザ用携帯端末の現在位置における電界強度、角速度情報、加速度情報、方位情報のうちいずれか１ないし複数を含む上記（１）ないし（１５）のいずれかの情報収集システム。
（１７）前記クライアント用携帯端末が前記サーバに情報提供を要求する情報種別として、前記ユーザ用携帯端末の現在位置におけるＦｅｌｉＣａチップ読み取り情報、ＲＦＩＣチップ読み取り情報、２次元コード読み取り情報のうちいずれか１ないし複数を含む上記（１）ないし（１６）のいずれかの情報収集システム。
（１８）前記クライアント用携帯端末が前記サーバに情報提供を要求する情報種別として、前記ユーザ用携帯端末の現在位置における気温情報、気圧情報、照度情報のうちいずれか１ないし複数を含む上記（１）ないし（１７）のいずれかの情報収集システム。
（１９）前記クライアント用携帯端末が前記サーバに情報提供を要求する情報種別として、前記ユーザ用携帯端末のユーザの現在の脈拍数情報、筋電情報、発汗情報のうちいずれか１ないし複数を含む上記（１）ないし（１８）のいずれかの情報収集システム。
（２０）前記クライアント用携帯端末が、前記サーバに情報提供を要求する情報種別として、前記ユーザ用携帯端末により撮影された静止画、動画、前記ユーザ用携帯端末のユーザが作成した調査レポートのうちいずれか１ないし複数を含む上記（１）ないし（１９）のいずれかの情報収集システム。
（２１）情報の提供を要求するクライアントが所持するクライアント用携帯端末と、該クライアントが要求する情報の提供に参加するユーザが所持するユーザ用携帯端末と、前記クライアント用携帯端末、前記ユーザ用携帯端末との間で情報を送受信するサーバとを、ネットワークを介して接続して構成される情報収集システムにおける情報収集方法であって、前記ユーザ用携帯端末から前記サーバに対して、情報提供に参加する情報種別を含むユーザ情報を登録することにより、前記サーバ装置が、前記クライアント用携帯端末から情報提供を要求する情報種別の登録がなされた際に、登録された前記ユーザ情報を参照して、前記クライアント用携帯端末から要求された情報提供の情報種別に該当する情報の提供に参加するユーザを検索して、該当するユーザが所持するユーザ用携帯端末に対して、情報提供の要求を送信する情報収集方法。
（２２）前記サーバから情報提供の要求を受け取った前記ユーザ用携帯端末は、当該ユーザ用携帯端末に備えられている機能を用いて、要求に該当する情報を自動的に検知して、収集情報として、前記サーバに対して返送する上記（２１）の情報収集方法。
（２３）前記ユーザ用携帯端末は、前記収集情報を前記サーバに返送するタイミングとして、前記サーバから情報提供の要求を受け取った時点で即時に、あるいは、あらかじめ設定されている周期で定期的に、あるいは、前記サーバから指定されているタイミング、のいずれか１ないし複数とする上記（２２）の情報収集方法。
（２４）前記ユーザ用携帯端末からの前記収集情報を受け取った前記サーバは、該収集情報を、ユーザ送付情報として、登録するとともに、情報収集の要求元の前記クライアント用携帯端末に送信する上記（２２）または（２３）の情報収集方法。
（２５）前記サーバは、前記ユーザ送付情報を前記クライアント用携帯端末に送信した際に、当該クライアント用携帯端末から、送信した前記ユーザ送付情報に対する対価となる情報料を受け取る上記（２４）の情報収集方法。
（２６）前記サーバから前記ユーザ送付情報を受け取った前記クライアント用携帯端末のクライアントが当該ユーザ送付情報を評価した評価結果に基づいてランク付けした情報および／またはコメント情報を、当該クライアント用携帯端末から前記サーバに返送する上記（２５）の情報収集方法。
（２７）前記クライアント用携帯端末から前記ユーザ送付情報に対してランク付けした情報および／またはコメント情報を受け取った前記サーバは、受け取った前記ランク付けした情報および／またはコメント情報を当該ユーザ送付情報に関連付けて登録するとともに、当該ユーザ送付情報の送信元のユーザに対するインセンティブとなる対価を算出して、送信元のユーザの前記ユーザ用携帯端末に送信する上記（２６）の情報収集方法。
（２８）前記サーバは、登録されている前記ユーザ送付情報および当該ユーザ送付情報に関連付けられたランク付けした情報および／またはコメント情報を、一般のユーザ向けに公開する上記（２７）の情報収集方法。
（２９）前記サーバは、前記ユーザ送付情報を閲覧した一般のユーザの携帯端末からのコメント情報や評価情報を受け取った際に、該コメント情報や評価情報を当該ユーザ送付情報に関連付けて登録するとともに、登録した前記コメント情報や評価情報を一般のユーザ向けに公開する上記（２８）の情報収集方法。
（３０）上記（２１）ないし（２９）のいずれかの情報収集方法を、コンピュータにより実行可能なプログラムとして実施する情報収集プログラム。
（３１）上記（３０）の情報収集プログラムを、コンピュータにより読み取り可能な記録媒体に記録しているプログラム記録媒体。
【発明の効果】
【０００９】
本発明の情報収集システム、情報収集方法、情報収集プログラムおよびプログラム記録媒体によれば、以下のような効果を得ることができる。
【００１０】
第１の効果は、情報提供に参加するユーザは、携帯端末を何ら操作することなく、自動的に、情報を収集してサーバに提供することにより、インセンティブとなる対価を獲得することができることにある。
【００１１】
第２の効果は、従来では、情報の提供を求めるクライアントは、調査員を派遣するかあるいは測定機器を設置する等の方法によって情報を入手していたが、本発明においては、サーバに対してリクエストを登録するだけで、必要とする情報を安価に入手することが可能となることにある。また、従来は、収集することができなかった情報であっても、携帯端末を所持する多数のユーザから、携帯端末に備えられている各種の機能を利用した情報の収集が可能となる。
【００１２】
第３の効果は、サーバを運営するキャリアは、ユーザから収集した情報を、情報料を付した形で、情報の提供を求めるクライアントに対して販売することができることにある。
【００１３】
第４の効果は、情報収集への参加の有無によらず、ユーザは、クライアントが求める情報(つまり与えられたテーマ)に対する自分や他人の作品（静止画、動画、調査レポート等）が公開されて、閲覧・コメントすることが可能であり、自身の感性や技術の向上、コミュニケーションの発展等の実利的なインセンティブ以外の報酬を入手することもできることにある。
【発明を実施するための最良の形態】
【００１４】
以下、本発明による情報収集システム、情報収集方法、情報収集プログラムおよびプログラム記録媒体の好適な実施例について添付図を参照して説明する。なお、以下の説明においては、本発明による情報収集システム、情報収集方法を説明するが、かかる情報収集方法をコンピュータにより実行可能な情報収集プログラムとして実施するようにしても良いし、あるいは、情報収集プログラムをコンピュータにより読み取り可能な記録媒体に記録するようにしても良いことは言うまでもない。
【００１５】
（本発明の特徴）
本発明の実施例の説明に先立って、本発明の特徴について、その概要をまず説明する。本発明は、携帯端末を使用した情報を収集するシステムを構築するとともに、情報の提供を求めるクライアント（顧客）の要求に柔軟に対応し、ユーザ（情報提供者）に多様なインセンティブを提供することを可能とする仕組みを備えていることを主要な特徴としている。
【００１６】
さらに、不特定多数のユーザ（情報提供者）から情報を自動的に収集することによって、収集した情報の精度を向上させるとともに、情報収集コストを低減可能とすることを特徴とする。また、ユーザによる投稿によっても情報を収集し、サーバ上で閲覧やコメントの付与などを行う場を提供することによってクライアント、ユーザ、閲覧者間のコミュニケーションツールとなることを特徴とする。
【００１７】
（実施例の構成）
図１は、本発明の情報収集システムのシステム構成の一例を示すシステム構成図であり、キャリアが運営するサーバ１と、クライアントがリクエストする情報の提供に参加するユーザが所持する携帯端末２と、情報の提供をリクエストするクライアントが所持する携帯端末３とが、ネットワーク４を介して接続されて構成されている。ユーザが所持する携帯端末２、クライアントが所持する携帯端末３は、携帯電話機、ＰＨＳ端末、携帯情報端末ＰＤＡ、ノートＰＣなど如何なる形態の携帯型の端末であっても良い。また、ネットワーク４は、本実施例では、ＬＡＮを用いる場合について説明するが、この他、無線通信網、インターネット、公衆網、専用網などのいずれかでも良いし、組み合わせた構成であっても良い。なお、ユーザの携帯端末２、クライアントの携帯端末３は、１つずつに限るものではなく、複数、接続されている。
【００１８】
ここで、情報提供者であるユーザは、携帯端末２から、キャリアが運営するサーバ１にネットワーク４を介してアクセスして、あらかじめ、キャリアに対して、情報提供を行おうとする情報種別に関する情報も含めたユーザ登録を行う（プロセスＰ１０）。この結果、サーバ１には、当該ユーザに関するユーザ設定情報および当該ユーザが所持する携帯端末２に関する情報があらかじめ登録される。
【００１９】
一方、情報の提供を希望するクライアントは、携帯端末３から、サーバ１に対してネットワーク４を介して、要求する情報種別を示すリクエストを送信することにより、リクエストをサーバ１に登録する(プロセスＰ１１)。キャリアが運営するサーバ１は、クライアントからリクエストが登録される都度、サーバ１に登録されているユーザに関する設定情報を読み出して、クライアントから登録されているリクエストに適合するユーザを検索して、該当するユーザの携帯端末２に対して、登録されているリクエストを、定期的に、または、当該リクエストの登録元のクライアントの要望とユーザが設定登録した設定情報とに応じて、適宜、送信する(プロセスＰ１２)。
【００２０】
携帯端末２にてサーバ１からのリクエストを受け取ったユーザは、当該リクエストに応じた情報を、自動的に、キャリアが運営するサーバ１に対して送信するか、または、サーバ１に対して投稿することによって提供する(プロセスＰ１３)。キャリアのサーバ１は、ユーザの携帯端末２から収集した情報を、ユーザ送付情報として、リクエストの登録元のクライアントの携帯端末３に対して送信し(プロセスＰ１４)、当該クライアントの携帯端末３から、情報の提供に対する対価である情報料を受け取る(プロセスＰ１５)。しかる後、キャリアのサーバ１は、情報提供元のユーザの携帯端末２に対して、情報提供に応じたポイント還元やコンテンツの提供、通話料の割引等の報酬をインセンティブとして支払う(プロセスＰ１６)。このインセンティブの対価の値は、クライアントによる前記ユーザ送付情報の評価結果を反映して決定される。
【００２１】
また、情報提供者のユーザが、静止画や動画等の画像や調査レポート等のコメント情報(ユーザの作品)を提供する場合は、情報要求元のクライアントが、情報の有効度を評価して、ユーザから提供された画像やコメント情報を、ランク付けした評価情報とともにサーバ１上でＷｅｂなどの手段を用いて公開する(プロセスＰ１７)。ユーザは、公開されたユーザの作品を閲覧することができ、情報提供に参加したユーザ自身の作品や他人の作品についてのコメントや評価を、公開されたサーバ１上に書き込むことができるし、さらには、情報提供に参加しなかった一般のユーザも、閲覧した作品に対するコメントや評価を書き込むことが可能である(プロセスＰ１８)。したがって、公開されたサーバ１は、コミュニケーションの発展の場となるので、情報提供に参加したユーザは、実利的な対価（報酬）であるインセンティブの他に、多様な形のフィードバックを受けることが可能となり、モチベーションをさらに向上させることができる。
【００２２】
（実施例の動作の説明）
図２は、キャリアが運営するサーバ１の構成の一実施例を示すブロック構成図である。図２に示すように、サーバ１は、ユーザ情報登録処理部２０、クライアントリクエスト情報登録処理部２１、ユーザリクエスト情報登録処理部２２、ユーザ送付情報登録処理部２３、インセンティブ送付情報登録処理部２４、インタフェース処理部２５、および、データベース群２６を少なくとも備えて構成されている。データベース群２６は、ユーザ情報ＤＢ２６ａ、クライアントリクエストＤＢ２６ｂ、ユーザリクエストＤＢ２６ｃ、クライアントインセンティブＤＢ２６ｄ、ユーザ送付情報ＤＢ２６ｅ、ユーザ投稿情報ＤＢ２６ｆ、ユーザ評価情報ＤＢ２６ｇ、閲覧者コメントＤＢ２６ｈを少なくとも備えている。
【００２３】
ユーザ情報登録処理部２０は、本情報収集システムを利用するユーザのユーザ情報がユーザの携帯端末３から供給されると、供給されたユーザ情報をユーザ情報ＤＢ２６ａに登録する。ユーザ情報は、例えば、ユーザ番号、氏名、住所、携帯電話番号、携帯メールアドレス、情報を提供しようとする情報種別、インセンティブ（報酬）払い込み先口座番号などの項目を含む。
【００２４】
クライアントリクエスト情報登録処理部２１は、本情報収集システムを利用するクライアントにて情報提供を要求するリクエストの項目（情報種別）がクライアントの携帯端末３から供給されると、供給されたリクエスト（情報種別）をクライアントリクエストＤＢ２６ｂに登録する。ユーザリクエスト情報登録処理部２２は、本情報収集システムを利用するユーザの中から前記ユーザ情報を参照して該当するユーザを選択して、情報提供を要求されているリクエストの項目を、該当するユーザの携帯端末２に送信して、ユーザが情報提供者として参加を希望するリクエストの項目（情報種別）を返送させて、ユーザ設定情報としてユーザリクエストＤＢ２６ｃに登録する。
【００２５】
ユーザ送付情報登録処理部２３は、情報提供者としてリクエストに参加したユーザの携帯端末２から自動的に送信されてきたユーザ送付情報がユーザ送付情報ＤＢ２６ｅに未登録か否かを判定し、未登録であれば、送付されてきたユーザ送付情報をユーザ送付情報ＤＢ２６ｅに登録する。また、ユーザ送付情報登録処理部２３は、情報提供者としてリクエストに参加したユーザの携帯端末２から投稿された情報を受け取った場合、投稿されたユーザ投稿情報をユーザ投稿情報ＤＢ２６ｆに登録する。
【００２６】
さらに、ユーザ送付情報登録処理部２３は、ユーザの携帯端末２から、クライアントが情報提供を要求したリクエストに該当するユーザ送付情報やユーザ投稿情報が、ユーザ送付情報ＤＢ２６ｅ、ユーザ投稿情報ＤＢ２６ｆに登録されたか否かを、クライアントリクエストＤＢ２６ｂを参照して確認し、クライアントが要求した情報が登録された場合は、該当するクライアントの携帯端末３にその旨を通知する。あるいは、該当するクライアントの携帯端末３に登録された情報を送信する。
【００２７】
インセンティブ送付情報登録処理部２４は、クライアントがユーザから提供された情報に対する対価をクライアントの携帯端末３から情報料として受け取った場合に、情報提供料としてクライアントインセンティブＤＢ２６ｄに登録処理するとともに、情報提供元のユーザに対して情報提供の報酬をインセンティブとして算出してユーザの携帯端末２に送信するとともに、クライアントインセンティブＤＢ２６ｄに登録する。
【００２８】
さらに、インセンティブ送付情報登録処理部２４は、ユーザ送付情報やユーザ投稿情報の送信元のユーザの了解、および、クライアントがユーザ送付情報ＤＢ２６ｅやユーザ投稿情報ＤＢ２６ｆに登録されたユーザ送付情報やユーザ投稿情報を一般のユーザに公開するか否かを評価した結果に基づいて、ユーザ送付情報やユーザ投稿情報を公開する処理を行う。一般のユーザやクライアントから、公開されたユーザ送付情報やユーザ投稿情報を閲覧した際の評価情報が送信されてきた場合は、ユーザ評価情報ＤＢ２６ｇに登録し、コメントが送信されてきた場合は、閲覧者コメントＤＢ２６ｈに登録する。ここで、ユーザ評価情報ＤＢ２６ｇや閲覧者コメントＤＢ２６ｈの情報も、一般のユーザやクライアントに公開される情報となる。
【００２９】
なお、インタフェース処理部２５は、サーバ１をネットワーク４に接続するためのインタフェースであり、例えばＬＡＮアダプタやルータ等で構成される。インタフェース処理部２５は、ネットワーク４から受信したデータの種類に応じて、サーバ１を構成する各処理部２０〜２４のいずれか該当する処理部に対してデータを送信する一方、各処理部２０〜２４から供給されるデータをネットワーク４を介してユーザの携帯端末２やクライアントの携帯端末３に送信する。
【００３０】
また、図３は、本発明に適用される携帯端末の構成の一例を示すブロック構成図であり、ユーザの携帯端末２およびクライアントの携帯端末３は、いずれも、図３の構成からなっている。図３に示すように、携帯端末２，３は、ネットワーク４と接続する無線通信部３１、ＣＰＵ，ＲＯＭ，ＲＡＭで構成されて、当該携帯端末２，３全体の制御を行う制御部３２、各回路部を接続するバスライン３３、ユーザ情報やリクエストへの参加情報を格納するメモリ部３４、ＧＰＳや基地局情報などからユーザの位置を検知する位置情報取得部３５、各種の情報を検知し収集するセンシング手段（ジャイロセンサ、方位センサ、温度センサ、照度センサ、脈波センサ、筋電センサ、皮膚電気抵抗センサ、ＦｅｌｉＣａ動作、ＲＦＩＣ動作、２次元バーコード読み取り、近距離通信動作、扉開閉検知等)や、当該携帯端末２，３の各機能の動作を検知する手段からなる各種センサ部３６を少なくとも備えている。
【００３１】
図４は、ユーザの携帯端末２からキャリアのサーバ１に設定登録したユーザ設定情報の一例を示す登録リストであり、キャリアが情報提供を求めるために、「参加リスト」として募集する各参加コース（情報種別）を、情報提供者のユーザに対して提示して、ユーザに参加する参加コース（提供しようとする情報種別）を選択させる登録リストの一例を示している。図４に示すように、例えば、キャリアが募集する参加コースとしては、エリア調査、混雑状況調査、センサ調査、イベント調査、ショップレポート、まちかど調査、災害レポートなどであり、注意事項を含む規約とともに記載した書式としてユーザの携帯端末２に送信して、ユーザは、参加を希望する参加コース（情報提供を応じる情報種別）にチェックを付して、キャリアのサーバ１側へ回答する。
【００３２】
図４の例では、センサ調査、まちかど調査以外の情報コースすべてに参加する旨を回答している例を示している。ユーザからの回答は、サーバ１のユーザリクエストＤＢ２６ｃにユーザ設定情報として登録されるが、この際に、図４に示すように、注意事項などを含む規約が、ユーザの携帯端末２に明示され、ユーザが「了承する」を選択した場合にのみ、サーバ１への登録が実施される。以降、サーバ１は、登録されたユーザ設定情報に基づいて、登録ユーザの携帯端末２に対して、定期的に、あるいは、クライアントの携帯端末３からの要求を受け取る都度、あるいは、登録されたユーザ設定情報やクリアントの携帯端末３からの指定内容にしたがって、情報の提供を要求するリクエストを送信する。
【００３３】
図５は、クライアントの携帯端末３からキャリアのサーバ１に対して依頼するリクエスト情報の一例を示すリクエスト表である。図５に示すリクエスト表の例では、情報収集を実施する有効期間、情報収集を実施するエリアを示すリクエストエリア、情報収集を実施する時間帯、情報収集に使用する携帯端末のセンシング機能、情報収集を行うタイミング(トリガ)等を規定している。なお、詳細情報取得先とは、サーバが、当該クライアントのリクエストに対する参加条件に適合したユーザに対して、より詳細な依頼内容をリクエスト明細として送信するための取得先を示す情報であり、情報提供に参加したユーザ側から要求があった際に、サーバがリクエスト詳細を入手するために提供される情報である。
【００３４】
図６〜図９は、いずれも、図１〜図３に示す本実施例の情報収集システムにおいて情報を収集する場合の動作の一例を説明するためのフローチャートである。図６は、収集する情報の一例として携帯端末の電波環境の調査結果を収集する動作の一例を示し、図７は、収集する情報の一例としてイベント等の混雑状況の調査結果を収集する動作の一例を示し、図８は、収集する情報の一例として携帯端末により自動的に収集可能な各種センサ情報の調査結果を収集する動作の一例を示し、また、図９は、収集する情報の一例としてクライアントからのリクエストに基づくユーザの調査レポートを収集して公開する動作の一例を示している。
【００３５】
まず、携帯端末の電波環境を調査する場合について、図６を用いて説明する。ここで、調査に参加するユーザの携帯端末２には、事前に、電波環境調査というリクエストとその有効期間とが、メモリ部３４に登録格納されており、図６の処理は、サーバ１からの指示を受け取る都度、あるいは、あらかじめ設定されている時間間隔で定期的に起動される。
【００３６】
図６において、まず、携帯端末２の制御部３２は、サーバ１から受け取ってメモリ部３４に登録しておいたリクエストの有効期間を確認し(ステップＳ６０)、有効期間が過ぎている場合は（ステップＳ６０のＮＯ）、リクエストを破棄し、メモリ部３４に登録されている電波環境調査というリクエストを削除する(ステップＳ６６)。
【００３７】
一方、有効期間内であった場合（ステップＳ６０のＹＥＳ）、無線通信部３１にて受信している電波の電界強度の変化があるか否かを確認し（ステップＳ６１）、変化がなかった場合には（ステップＳ６１の「なし」の場合）、前回の調査時点と同じ電界強度であるので、当該処理を終了する。また、電波の電界強度の変化を検知した場合(ステップＳ６１の「あり」の場合)、当該携帯端末２の位置情報を位置情報取得部３５により取得する(ステップＳ６２)。ここで、位置情報の取得に失敗した場合は（ステップＳ６２の「失敗」の場合）、検知した電界強度の場所を特定することができないので、当該処理を終了する。
【００３８】
位置情報の取得に成功した場合（ステップＳ６２の「成功」の場合）、取得した位置情報を、現在時刻、電界強度の変化値とともにメモリ部３４にログ情報として記録する(ステップＳ６３)。記録したログ情報は、タイマ動作等によりあらかじめ定めた周期で定期的にサーバ１に対して送信する(ステップＳ６４)。
【００３９】
サーバ１は、電界強度調査のリクエストに参加している各ユーザの携帯端末２から定期的に送信されてきた時刻、位置、電界強度の変化値を、ユーザ送付情報ＤＢ２６ｅに登録する一方、電界強度調査のリクエストの要求元であるクライアントの携帯端末３に対して送信する（ステップＳ６５）。クライアントは、各ユーザから集まってきた電界強度に関するログ情報を分類集計して、例えば電界強度マップを作成することによって、今度の基地局設計や基地局の配置計画や災害時の復旧等に使用することができる。
【００４０】
次に、イベント等の混雑状況を調査する場合について、図７を用いて説明する。本処理例においては、クライアントが、遊園地や行楽地、イベント等の混雑状況を調査するために、特定のエリアに在圏している登録者（つまり当該リクエストに参加しているユーザ）の数をカウントする処理を行う場合について示している。ここで、調査に参加するユーザの携帯端末２には、事前に、遊園地や行楽地あるいはイベント等の混雑状況調査というリクエストとその有効期間とが、メモリ部３４に登録格納されており、図７の処理は、サーバ１からの指示を受け取る都度、あるいは、あらかじめ設定されている時間間隔で定期的に起動される。
【００４１】
図７において、まず、携帯端末２の制御部３２は、サーバ１から受け取ってメモリ部３４に登録しておいたリクエストの有効期間を確認し(ステップＳ７０)、有効期間が過ぎている場合は（ステップＳ７０のＮＯ）、リクエストを破棄し、メモリ部３４に登録されているイベント等の混雑状況調査というリクエストを削除する(ステップＳ７６)。
【００４２】
一方、有効期間内であった場合（ステップＳ７０のＹＥＳ）、当該携帯端末２の位置情報を位置情報取得部３５により取得する(ステップＳ７１)。ここで、位置情報の取得に失敗した場合は（ステップＳ７１の「失敗」の場合）、現在位置を特定することができないので、当該処理を終了する。
【００４３】
位置情報の取得に成功した場合（ステップＳ７１の「成功」の場合）、当該携帯端末２の現在位置が、混雑状況調査対象として、クライアントがリクエストしていたイベント等が実施されるリクエストエリア内にいるか否かを判定する（ステップＳ７２）。該当していないリクエストエリア外であった場合には（ステップＳ７２の「エリア外」の場合）、当該処理を終了する。
【００４４】
該当するリクエストエリア内であった場合には（ステップＳ７２の「エリア内」の場合）、取得した位置情報を、現在時刻とともに、サーバ１に対して送信する(ステップＳ７３)。
【００４５】
サーバ１は、イベント等の混雑状況調査のリクエストに参加している各ユーザの携帯端末２から送信されてきた時刻、位置情報を、ユーザ送付情報ＤＢ２６ｅに登録する一方、イベント等の混雑状況調査のリクエストの要求元であるクライアントの携帯端末３に対して送信する（ステップＳ７４）。クライアントは、遊園地や行楽地、イベント等の混雑状況を調査するために、該当するエリア内に在圏しているユーザの数をカウントする。ユーザ１人当たりの情報は、該当するエリア内に在圏していることを報告するだけの少ない情報であるが、多数のユーザの位置情報を収集して、サンプルとすることによって、母集団を統計的に算出する（ステップＳ７５）。この結果、調査対象とする各種イベント会場や行楽地、商業施設等の混雑状況を測ることができる。
【００４６】
次に、各種センサ情報を調査する場合について、図８を用いて説明する。本処理例においては、各種センサ情報の調査をリクエストしたクライアントが、タイマなどによる携帯端末の各種機能の起動や、携帯端末２に備えられているセンサなどにより検出した状態の変化をトリガとして、情報収集機能を起動させ、自動的に有意な情報を収集する処理を行う場合について示している。ここで、調査に参加するユーザの携帯端末２には、事前に、各種センサ情報の調査というリクエストとその有効期間とが、メモリ部３４に登録格納されており、図８の処理は、サーバ１からの指示を受け取る都度、あるいは、あらかじめ設定されている時間間隔で、定期的に、あるいは、各種センサ部３６にて変化を検知する都度、あるいは、携帯端末２の各種機能が起動される都度、起動される。
【００４７】
図８において、まず、携帯端末２の制御部３２は、サーバ１から受け取ってメモリ部３４に登録しておいたリクエストの有効期間を確認し(ステップＳ８０)、有効期間が過ぎている場合は（ステップＳ８０のＮＯ）、リクエストを破棄し、メモリ部３４に登録されている各種センサ情報の調査というリクエストを削除する(ステップＳ８６)。
【００４８】
一方、有効期間内であった場合（ステップＳ８０のＹＥＳ）、当該携帯端末２の位置情報を位置情報取得部３５により取得する(ステップＳ８１)。ここで、位置情報の取得に失敗した場合は（ステップＳ８１の「失敗」の場合）、現在位置を特定することができないので、当該処理を終了する。
【００４９】
位置情報の取得に成功した場合（ステップＳ８１の「成功」の場合）、当該携帯端末２の現在位置が、携帯端末２の各種センサ部３６にてセンサ情報を検知すべきエリアとして、クライアントがリクエストしていたリクエストエリア内にいるか否かを判定する（ステップＳ８２）。該当していないリクエストエリア外であった場合には（ステップＳ８２の「エリア外」の場合）、当該処理を終了する。
【００５０】
該当するリクエストエリア内であった場合には（ステップＳ８２の「エリア内」の場合）、まず、サーバ１にアクセスして、クライアントがリクエストしているリクエスト詳細をサーバ１から取得する（ステップＳ８３）。なお、クライアントの指定するリクエスト詳細如何によっては、携帯端末２の現在位置情報そのものを必要としない場合もあり得る。かかる場合を想定する場合には、ステップＳ８３の処理をステップＳ８１の前に移して、まず、リクエストされているリクエスト明細を取得して、位置情報の取得を必要とするか否かを判定するようにしても良い。
【００５１】
サーバ１から取得したリクエスト詳細に応じて、携帯端末２の各種機能や各種センサ部３６により各種情報、各種状態を検知し、メモリ部３４にログ情報として記録する（ステップＳ８４）。記録したログ情報は、サーバ１から受信したリクエスト明細にしたがって、即時に、あるいは、タイマ動作等により要求されている周期で定期的にサーバ１に対して送信する(ステップＳ８５)。
【００５２】
サーバ１は、センサ情報調査のリクエストに参加している各ユーザの携帯端末２から送信されてきた各種情報、各種状態の検知結果のログ情報を、ユーザ送付情報ＤＢ２６ｅに登録する一方、センサ情報調査のリクエストの要求元であるクライアントの携帯端末３に対して送信する。クライアントは、各ユーザからの各種情報、各種状態のセンサ検知結果に基づいて、交通機関の運行状況や、商品などの販売状況や、広域に亘る気象観測や、スポーツ大会などへの参加者の活動状況や健康状況などを把握することができる。
【００５３】
ここで、リクエスト明細によりユーザの携帯端末２に対して収集要求される各種機能やセンサ情報としては、例えば、以下のような情報がある。
（１）移動手段や飛行手段などの交通機関に関する情報の収集
ＧＰＳ機能により測位した現在位置情報、ジャイロセンサにより計測した角速度情報、加速度センサにより計測した加速度情報、方位センサにより計測した方位情報など
（２）商品や在庫品に関する情報の収集
ＦｅｌｉＣａリーダ／ライタにより読み取ったＦｅｌｉＣａチップ情報、ＲＦＩＣ（Radio Frequency ＩＣ）リーダにより読み取ったＲＦＩＣチップ情報、２次元バーコードリーダにより読み取った２次元バーコード情報など
（３）気温や気圧や明るさに関する気象情報の収集
温度センサにより測定した気温情報、圧力センサにより測定した気圧情報、照度センサにより測定した照度情報など
（４）生体に関する医学情報の収集
脈波センサにより計測した脈拍数、筋電センサにより計測した筋電情報、皮膚電気抵抗センサにより計測した発汗情報など
【００５４】
次に、ユーザの調査レポートに関する情報を収集して公開する場合について、図９を用いて説明する。本処理例においては、クライアントが、ユーザが携帯端末２を用いて撮影した画像や動画、ユーザが作成したコメント等をリクエストすることにより、リクエストされたユーザからの情報を収集して、収集した情報を調査レポートとして公開する場合について示している。ここで、調査に参加するユーザの携帯端末２には、事前に、調査レポートの公開というリクエストとその有効期間とが、メモリ部３４に登録格納されており、図９の処理は、サーバ１からの指示を受け取る都度、あるいは、あらかじめ設定されている時間間隔で定期的に起動される。
【００５５】
図９において、まず、携帯端末２の制御部３２は、サーバ１から受け取ってメモリ部３４に登録しておいたリクエストの有効期間を確認し(ステップＳ９０)、有効期間が過ぎている場合は（ステップＳ９０のＮＯ）、リクエストを破棄し、メモリ部３４に登録されている調査レポートの公開というリクエストを削除する(ステップＳ１００)。
【００５６】
一方、有効期間内であった場合（ステップＳ９０のＹＥＳ）、当該携帯端末２の位置情報を位置情報取得部３５により取得する(ステップＳ９１)。ここで、位置情報の取得に失敗した場合は（ステップＳ９１の「失敗」の場合）、現在位置を特定することができないので、当該処理を終了する。
【００５７】
位置情報の取得に成功した場合（ステップＳ９１の「成功」の場合）、当該携帯端末２の現在位置が、ユーザが画像や動画を撮影したり、ショップ等のレポートや評価などのコメントを作成したりすべきエリアとして、クライアントがリクエストしていたリクエストエリア内にいるか否かを判定する（ステップＳ９２）。該当していないリクエストエリア外であった場合には（ステップＳ９２の「エリア外」の場合）、当該処理を終了する。
【００５８】
該当するリクエストエリア内であった場合には（ステップＳ９２の「エリア内」の場合）、まず、サーバ１にアクセスして、クライアントがリクエストしているリクエスト詳細をサーバ１からダウンロードして取得する（ステップＳ９３）。なお、クライアントの指定するリクエスト詳細如何によっては、携帯端末２の現在位置情報そのものを必要としない場合もあり得る。かかる場合を想定する場合には、ステップＳ９３の処理をステップＳ９１の前に移して、まず、リクエストされているリクエスト明細を取得して、位置情報の取得を必要とするか否かを判定するようにしても良い。
【００５９】
サーバ１から取得したリクエスト詳細を、携帯端末２に画面表示して、ユーザに通知する（ステップＳ９４）。サーバ１から取得したリクエスト詳細には、リクエスト元のクライアントから受け付けたリクエストの詳細内容が含まれており、例えば、各種のイベントやショップ等に関する評価レポートの作成要求、３Ｄ地図を作成するための画像の撮影要求や新規店舗情報や外観などの画像の撮影要求、イベント等の模様の動画撮影要求などが含まれている。
【００６０】
ユーザは、画面表示されたリクエスト明細に応じて、例えば、イベント等の静止画や動画による撮影、イベントやショップ等の評価レポートの作成、新商品の評価や使い方の紹介等のコメントの作成などを行って、調査レポートとして作成し、メモリ部３４にログ情報として記録する（ステップＳ９５）。ここで作成された画像等のデータには、撮影日時や撮影場所、撮影方向等の携帯端末２にて測定可能な情報をさらに付加して記録する。
【００６１】
記録したログ情報は、サーバ１から受信したリクエスト明細にしたがって、即時に、あるいは、タイマ動作等により要求されている周期で定期的にサーバ１に対して送信する(ステップＳ９６)。
【００６２】
サーバ１は、調査レポートの収集・公開のリクエストに参加している各ユーザの携帯端末２から送信されてきた調査レポートのログ情報を、ユーザ送付情報ＤＢ２６ｅやユーザ投稿情報ＤＢ２６ｆに登録する一方、調査レポート公開のリクエストの要求元であるクライアントの携帯端末３に対して送信する。クライアントは、サーバ１から受け取った調査レポートのログ情報それぞれを評価し、有効度によってランク付けを行って、評価情報としてキャリアのサーバ１に通知する(ステップＳ９７)。クライアントからの評価情報を受け取ったサーバ１は、評価情報をユーザ評価情報ＤＢ２６ｇにユーザ送付情報ＤＢ２６ｅやユーザ投稿情報ＤＢ２６ｆに格納されている情報と関連付けして登録するとともに、ユーザ送付情報ＤＢ２６ｅやユーザ投稿情報ＤＢ２６ｆに登録されている調査レポート（撮影静止画、撮影動画、コメント等）情報を、Ｗｅｂ形式などによって、一般のユーザに公開する(ステップＳ９８)。
【００６３】
さらに、サーバ１は、クライアントから通知された評価情報に含まれているランク付けにしたがった報酬をインセンティブとして算出して、ユーザの携帯端末２に対して返送する（ステップＳ９９）。これにより、調査レポート公開のリクエストに参加したユーザに、インセンティブとなる還元を行うことができるとともに、調査レポートが一般に公開されることにより、他のユーザからの閲覧結果のコメントや評価なども、サーバ１に公開された状態としてさらに登録することができ、クライアント、ユーザ、閲覧者間のコミュニケーションの場として有効に利用することができる情報収集システムを提供することができる。
【００６４】
（本実施例の効果の説明）
第１の効果は、情報提供に参加するユーザは、携帯端末を何ら操作することなく、自動的に、情報を収集してサーバに提供することにより、インセンティブを獲得することができることにある。
【００６５】
第２の効果は、従来では、情報を収集したクライアントは、調査員を派遣するかあるいは測定機器を設置する等の方法によって情報を入手していたが、本実施例においては、サーバ１にリクエストを登録するだけで、必要とする情報を安価に入手することが可能となることにある。また、従来は、収集することができなかった情報でも、携帯端末を所持する多数のユーザから、携帯端末に備えられている各種の機能を利用した情報の収集が可能となる。
【００６６】
第３の効果は、サーバ１を運営するキャリアは、ユーザから収集した情報を、情報料を付した形で、情報の提供を求めるクライアントに対して販売することができることにある。
【００６７】
第４の効果は、情報収集への参加の有無によらず、ユーザは、クライアントが求める情報(つまり与えられたテーマ)に対する自分や他人の作品（静止画、動画、調査レポート等）が公開されて、閲覧・コメントすることが可能であり、自身の感性や技術の向上、コミュニケーションの発展等の実利的なインセンティブ以外の報酬を入手することもできることにある。
【００６８】
（他の実施例）
本発明は、携帯端末を利用しているため、サーバ１を運営する事業体として、携帯端末の通信事業を行うキャリアが仲介しているが、例えば、携帯端末のＷｅｂブラウザを使用して、情報の提供を要求するクライアントが、情報提供に参加するユーザから、直接、情報を収集することももちろん可能である。
【００６９】
また、ユーザは、クライアントの要求にしたがって、情報を提供するだけではなく、例えば、不法投棄現場の写真を投稿するなどといった能動的な通報を行う場合にも、本発明の情報収集システムの仕組みを利用することが可能である。
【００７０】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【図面の簡単な説明】
【００７１】
【図１】本発明の情報収集システムのシステム構成の一例を示すシステム構成図である。
【図２】キャリアが運営するサーバの構成の一実施例を示すブロック構成図である。
【図３】本発明に適用される携帯端末の構成の一例を示すブロック構成図である。
【図４】ユーザの携帯端末からキャリアのサーバに設定登録したユーザ設定情報の一例を示す登録リストである。
【図５】クライアントの携帯端末からキャリアのサーバに対して依頼するリクエスト情報の一例を示すリクエスト表である。
【図６】収集する情報の一例として携帯端末の電波環境の調査結果を収集する動作の一例を説明するためのフローチャートである。
【図７】収集する情報の一例としてイベント等の混雑状況の調査結果を収集する動作の一例を説明するためのフローチャートである。
【図８】収集する情報の一例として各種センサ情報の調査結果を収集する動作の一例を説明するためのフローチャートである。
【図９】収集する情報の一例としてクライアントからのリクエストに基づくユーザの調査レポートを収集して公開する動作の一例を説明するためのフローチャートである。
【符号の説明】
【００７２】
１      サーバ
２      携帯端末（ユーザ）
３      携帯端末（クライアント）
４      ネットワーク
２０    ユーザ情報登録処理部
２１    クライアントリクエスト情報登録処理部
２２    ユーザリクエスト情報登録処理部
２３    ユーザ送付情報登録処理部
２４    インセンティブ送付情報登録処理部
２５    インタフェース処理部
２６    データベース群
２６ａ  ユーザ情報ＤＢ
２６ｂ  クライアントリクエストＤＢ
２６ｃ  ユーザリクエストＤＢ
２６ｄ  クライアントインセンティブＤＢ
２６ｅ  ユーザ送付情報ＤＢ
２６ｆ  ユーザ投稿情報ＤＢ
２６ｇ  ユーザ評価情報ＤＢ
２６ｈ  閲覧者コメントＤＢ
３１    無線通信部
３２    制御部
３３    バスライン
３４    メモリ部
３５    位置情報取得部
３６    各種センサ部
【図１】
2008242553.tif 000003
【図２】
2008242553.tif 000004
【図３】
2008242553.tif 000005
【図４】
2008242553.tif 000006
【図５】
2008242553.tif 000007
【図６】
2008242553.tif 000008
【図７】
2008242553.tif 000009
【図８】
2008242553.tif 000010
【図９】
2008242553.tif 000011